(57)【要約】【課題】トリップクロスバーの組み付けを簡単にして作業工数を低減する。【解決手段】開閉機構のラッチを係止するラッチ受けと、このラッチ受けを係止するトリップクロスバーとを備え、このトリップクロスバーは軸心に挿入されたピンを介して、開閉機構のフレームの左右の側板に回動可能に支持される回路遮断器において、トリップクロスバー１に挿入したピン６の一端をフレーム４の一方の側板にあけたピン穴５に挿入し、ピン６の他端をフレーム４の他方の側板に切り欠き形成したピン溝３９に嵌め込んで、トリップクロスバー１をフレーム４に支持させるとともに、ラッチ受けからトリップクロスバー１が受ける押圧力でピン６をピン溝３９内に保持するようにする。予めトリップクロスバー１に挿入したピン６の一端のみをフレーム４のピン穴５に挿入し、他端はフレーム４のピン溝３９に嵌め込むだけでよいので、トリップクロスバー１の組み付け作業が簡単になる。【選択図】      図３
2006012532.tif 000002
【特許請求の範囲】
【請求項１】
開閉機構のラッチを係止するラッチ受けと、このラッチ受けを係止するトリップクロスバーとを備え、このトリップクロスバーは軸心に挿入されたピンを介して、前記開閉機構のフレームの左右の側板に回動可能に支持される回路遮断器において、
前記トリップクロスバーに挿入した前記ピンの一端を前記フレームの一方の側板にあけたピン穴に挿入し、前記ピンの他端を前記フレームの他方の側板に切り欠き形成したピン溝に嵌め込んで、前記トリップクロスバーを前記フレームに支持させるとともに、前記ラッチ受けから前記トリップクロスバーに働く押圧力で前記ピンを前記ピン溝内に保持するようにしたことを特徴とする回路遮断器。
【請求項２】
前記ラッチ受けを係止する前記トリップクロスバーの係止部を前記ピン溝に嵌め込む前記ピンの端部側に片寄せて設けたことを特徴とする請求項１記載の回路遮断器。
【発明の詳細な説明】
【技術分野】
【０００１】
この発明は、配線用遮断器や漏電遮断器などの低圧回路遮断器に関し、特にトリップクロスバーを支持する構造に関する。
【背景技術】
【０００２】
配線用遮断器などの回路遮断器の開閉機構は、一般にラッチがラッチ受けにより係止されて鎖錠され、またラッチ受けは各相に跨るトリップクロスバーにより係止されて鎖錠が保たれている。そして、異常電流が生じて過電流引外し装置が作動すると、トリップクロスバーが回転駆動されて鎖錠が引き外され、主スプリングに蓄勢された開閉機構により可動接触子が開極されて電流遮断される。
【０００３】
図５は特許文献１に記載されたこの種の３極回路遮断器のトリップクロスバーを示す斜視図、図６はその要部平面図である。図５及び図６において、３極に跨るトリップクロスバー１の中央極部分にはコ字状の取付金具２が固定され、左右両側に立ち上がる腕にピン穴３が設けられている。一方、図示しない開閉機構のフレーム４には、左右の側板にピン穴５が設けられている。そこで、トリップクロスバー１は、ピン穴３,５を通るように軸心に挿入されたピン６を介して、フレーム４に回動可能に支持されている。
【特許文献１】実公平８−１０９２０号公報（第１図）
【発明の開示】
【発明が解決しようとする課題】
【０００４】
上記した従来技術においては、トリップクロスバーをフレームに組み付ける際に、トリップクロスバーの取付金具に設けたピン穴と開閉機構のフレームに設けたピン穴とを正確に合わせ、これらのピン穴にピンを挿通させなければならないため、作業が煩雑で組み付け工数が多いという問題があった。
【０００５】
この発明の課題は、トリップクロスバーの組み付けを簡単にして作業工数を低減することにある。
【課題を解決するための手段】
【０００６】
上記課題を解決するために、この発明は、開閉機構のラッチを係止するラッチ受けと、このラッチ受けを係止するトリップクロスバーとを備え、このトリップクロスバーは軸心に挿入されたピンを介して、前記開閉機構のフレームの左右の側板に回動可能に支持される回路遮断器において、前記トリップクロスバーに挿入した前記ピンの一端を前記フレームの一方の側板にあけたピン穴に挿入し、前記ピンの他端を前記フレームの他方の側板に切り欠き形成したピン溝に嵌め込んで、前記トリップクロスバーを前記フレームに支持させるとともに、前記ラッチ受けから前記トリップクロスバーに働く押圧力で前記ピンを前記ピン溝内に保持するようにするものである（請求項１）。
【０００７】
請求項１の発明によれば、予めトリップクロスバーに挿入したピンの一端のみをフレームのピン穴に挿入し、他端はフレームのピン溝に嵌め込んでトリップクロスバーをフレームに組み付けることができるので組み付け作業が簡単になる。
【０００８】
請求項１の発明において、前記ラッチ受けを係止する前記トリップクロスバーの係止部を前記ピン溝に嵌め込む前記ピンの端部側に片寄せて設けるとよい（請求項２）。トリップクロスバーのラッチ受け係止部をピン溝に嵌め込むピンの端部側に片寄せることにより、ラッチ受けからトリップクロスバーに働く押圧力によるピンの抜け止め作用がより確実になる。
【発明の効果】
【０００９】
この発明によれば、ピン穴同士を正確に合わせてピンを挿入するという作業がなくなり、トリップクロスバーの組み付け作業工数が低減するとともに、保守点検時の分解作業も容易になる。
【発明を実施するための最良の形態】
【００１０】
以下、図１〜図４に基づいて、３極配線用遮断器におけるこの発明の実施の形態を説明する。ここで、図１は回路遮断器の縦断面図、図２はトリップクロスバーの分解斜視図、図３は開閉機構のフレームにトリップクロスバーを組み付ける作業を説明する斜視図、図４は開閉機構部分の斜視図である。なお、従来例と対応する部分には同一の符号を用いるものとする。まず、図１において、ケース７とカバー８とからなるモールドケースのケース７には、固定接触子９と可動接触子１０とからなる開閉部が各極別に配置され、固定接触子９の端部には電源側端子１１が一体に設けられている。
【００１１】
可動接触子１０は各極一体の絶縁物のホルダ１２に保持され、ホルダ１２はケース７に回動可能に支持されている。可動接触子１０は可撓性のあるリード線１３を介して固定導体１４に接続され、固定導体１４には過電流引外し装置１５のヒータ導体１６が接続されている。ヒータ導体１６にはバイメタル１７とコ字状の固定コア１８とが取り付けられ、固定コア１８の近傍にはアーマチュア１９が回動可能に配設されている。過電流引外し装置１５のヒータ導体１６には中継導体２０の一端が接合され、中継導体２０の他端には負荷側端子２１が一体形成されている。
【００１２】
可動接触子１０は、開閉機構２２によりホルダ１２を介して開閉駆動される。開閉機構２２は周知の構成のもので、左右に側板を有するフレーム４に軸２３により回動可能に支持されたラッチ２４を有し、ラッチ２４は軸２５によりフレーム４に回動可能に支持されたラッチ受け２６により先端が係止されて鎖錠されている。また、ラッチ受け２６はトリップクロスバー１により先端が係止され、トリップクロスバー１はピン６を介してフレーム４に回動可能に支持されている。
【００１３】
ラッチ２４と可動接触子１０とはトグルリンク２７により連結され、フレーム４に揺動可能に支持されたハンドルアーム２８とトグルリンク２７の中央ピン２９との間には、引っ張りばねからなる主スプリング３０が掛けられている。ハンドルアーム２８の頭部には、操作ハンドル３１が装着されている。ラッチ受け２６を支持する軸２５には捩じりばねからなる復帰スプリング３２が装着され、その一端はラッチ受け２６に掛けられ、他端はトリップクロスバー１に掛けられている。これにより、トリップクロスバー１及びラッチ受け２６は、いずれも図１の右方向に付勢されている。なお、トリップクロスバー１は図示しないストッパにより右回動位置を規定され、図示姿勢に保持されている。
【００１４】
図１の遮断器投入状態において、電流は電源側端子１１から、固定接触子９、可動接触子１０、リード線１３、固定導体１４、ヒータ導体１６、中継導体２０を通り、負荷側端子２１に流れる。この電流が過負荷状態となると、過電流引外し装置１５のバイメタル１７が湾曲して先端でトリップクロスバー１の受け部１ａを押す。また、短絡電流のような大電流が流れると、過電流引外し装置１５のアーマチュア１９が固定コア１８に瞬時に吸引され、先端でやはりトリップクロスバー１の受け部１ａを押す。
【００１５】
トリップクロスバー１は押されると、ピン６を支点に図１に左方向に回動する。そのため、ラッチ受け２６はトリップクロスバー１による係止を外されて右方向に回動し、次いでラッチ２４もラッチ受け２６による係止を外されて左方向に回動する。その結果、トグルリンク２７に対する主スプリング３０の作用が反転し、トグルリンク２７が崩れてホルダ１２が右方向に回転駆動され、同時に可動接触子１０が開極して電流が遮断される。
【００１６】
図２において、樹脂絶縁物から成形されたトリップクロスバー１は、略円形断面のバー本体１ｂの長手方向３箇所に、各極の受け部１ａが一体形成されて構成されている。バー本体１ｂの軸心には、ピン６を図２の右端から挿入固定するピン穴３３が設けられている。なお、ピン穴３３は型成形の都合から、図２の正面側と背面側の両側から交互に設けられたＵ字状のピン溝の組み合わせにより形成されているが、その詳細については省略する。ピン穴３３の左右端部分には、後述するように挿入後のピン６の両端が覗くように、凹部３４及び３５が図２の正面側から設けられている。
【００１７】
一方、トリップクロスバー１がラッチ受け２６を係止する係止部には、爪３６が装着される。爪３６は薄鋼板から抜き・曲げ加工により形成されたく字状体で、その上辺部にラッチ受け２６と当接する当接片３６ａを有し、また左右に一対の取付腕３６ｂを有している。取付腕３６ｂには、トリップクロスバー１の軸心穴３３と同心となるように穴３７があけられている。一方、爪３６が装着されるトリップクロスバー１の係止部には、爪３６の取付腕３６ｂに対応する左右一対のスリット３８が設けられている。図２において、トリップクロスバー１の係止部には、まず爪３６が取付腕３６ｂとスリット３８の嵌合により装着される。次いで、トリップクロスバー１の穴３３及び爪３６の穴３７に、ピン６がトリップクロスバー１の図２の右端から、ピン６の先端が凹部３４の図２の左壁面に突き当たるまで圧入される。
【００１８】
図３のトリップクロスバー１は、爪３６が装着された後にピン６が挿入された状態を示している。この状態において、ピン６の両端は凹部３４及び３５から正面側にそれぞれ覗き、特に右端は凹部３５の右壁面との間に隙間Ｓを生じている。一方、図３において、フレーム４のトリップクロスバー支持部には、図３の右側の側板にピン６の右端を挿入させるピン穴５が設けられ、左側の側板にピン６の左端を嵌め込ませるＵ字状のピン溝３９が上面から切欠き形成されている。トリップクロスバー１をフレーム４に組み付けるには、隙間Ｓを潜らせたフレーム４のピン穴５に、トリップクロスバー１を図示の通り傾けながらピン６の右端を挿入し、次いでピン６の左端をピン溝３９に上方から嵌め込む。
【００１９】
図４はフレーム４に支持させたトリップクロスバー１に、ラッチ受け２６を係止させた状態を示している。この状態で、ラッチ受け２６の傾斜した先端面は、爪３６の当接片３６ａに当接している。ラッチ受け２６は、ラッチ２４を介して主スプリング３０のばね力を受け、また復帰スプリング３２のばね力を受けてトリップクロスバー１に押圧されている。トリップクロスバー１はラッチ受け２６から受けるこの押圧力でフレーム４に押し付けられ、ピン６の左端はピン溝３９から抜け出さないように保持される。特に、図示実施の形態においては、図３から明らかなように、トリップクロスバー１の係止部（爪３６）はピン溝３９に嵌め込まれるピン６の端部（左端）側に片寄せて設けられ、ラッチ受け２６からの押圧力がピン溝３９にはめ込まれるピン６の軸端により多く掛かるように配慮され、これによりピン溝３９内でのピン６の保持がより確実になっている。
【図面の簡単な説明】
【００２０】
【図１】この発明の実施の形態を示す回路遮断器の縦断面図である。
【図２】図１におけるトリップクロスバーの分解斜視図である。
【図３】図１における開閉機構のフレームにトリップクロスバーを組み付ける方法を説明する斜視図である。
【図４】図１における開閉機構部分の斜視図である。
【図５】従来例を示すトリップクロスバーの斜視図である。
【図６】図５の要部平面図である。
【符号の説明】
【００２１】
１    トリップクロスバー
４    開閉機構のフレーム
３３    トリップクロスバーの軸心の穴
３４    凹部
３５    凹部
３６    爪
３９    ピン穴
４０    ピン溝
【図１】
2006012532.tif 000003
【図２】
2006012532.tif 000004
【図３】
2006012532.tif 000005
【図４】
2006012532.tif 000006
【図５】
2006012532.tif 000007
【図６】
2006012532.tif 000008